(57)【要約】【課題】金属板の折曲加工を簡単にして加工コストを低減して強度を向上する。【解決手段】ドアは、一対の縦枠４の表面に第１の金属板１と第２の金属板２とを固定している。第１の金属板１は、溝形の戸先側の縦枠４Ａの一方の側壁４Ｙを挿入するＵ曲カバー部１１を備え、このＵ曲カバー部１１の先端縁に設けた係止溝部１３を側壁４Ｙの内側に配置している。第２の金属板２は、溝形の戸先側の縦枠４Ａの開口部４Ｚを閉塞するカバー折曲部１４を有し、このカバー折曲部１４の先端部を内側に折曲して積層折曲部１５としている。ドアは、第１の金属板１のＵ曲カバー部１１に戸先側の縦枠４Ａの側壁４Ｙを挿入して、第２の金属板２の積層折曲部１５の先端を第１の金属板１の係止溝部１３に挿入し、さらに、第１の金属板１と第２の金属板２の内側折曲部１６を戸尻側の縦枠４Ｂの外周面に沿わせて、第１の金属板１と第２の金属板２とを縦枠４に連結している。【選択図】図３
2010281154.tif 000002
【特許請求の範囲】
【請求項１】
ドアの戸先側に内蔵してなる断面形状を溝形とする戸先側の縦枠(4A)と、ドアの戸尻側に内蔵してなる戸尻側の縦枠(4B)と、戸先側の縦枠(4A)と戸尻側の縦枠(4B)の第１の表面に固定している第１の金属板(1)と、第１の表面と反対側の面である第２の表面に固定している第２の金属板(2)とを備え、
前記戸先側の縦枠(4A)は、底板(4X)の両側に側壁(4Y)を設けてなる溝形であって、溝形の開口部(4Z)をドアの外側に向ける姿勢として第１の金属板(1)と第２の金属板(2)の間に配設され、
前記第１の金属板(1)は、戸先側の縦枠(4A)の一方の側壁(4Y)を挿入するＵ曲カバー部(11)を備え、さらにこのＵ曲カバー部(11)は、内側に折り返した内側積層部(12)の先端縁に係止溝部(13)を設けて、係止溝部(13)を側壁(4Y)の内側に配置しており、
前記第２の金属板(2)は、戸先側の縦枠(4A)の表面から内側に折曲されて、溝形である戸先側の縦枠(4A)の溝形の開口部(4Z)を閉塞するカバー折曲部(14)を有し、このカバー折曲部(14)は先端部を内側に折曲して、前記Ｕ曲カバー部(11)の係止溝部(13)に案内される積層折曲部(15)としており、
さらに、前記第１の金属板(1)と第２の金属板(2)の戸尻側は、戸尻側の縦枠(4B)の外周面に沿うように折曲してなる内側折曲部(16)を有し、
前記第１の金属板(1)のＵ曲カバー部(11)に戸先側の縦枠(4A)の側壁(4Y)が挿入されて、第１の金属板(1)が戸先側の縦枠(4A)に連結され、第２の金属板(2)の積層折曲部(15)の先端が第１の金属板(1)の係止溝部(13)に挿入されて、第２の金属板(2)が第１の金属板(1)に連結され、
さらに、第１の金属板(1)と第２の金属板(2)の内側折曲部(16)を戸尻側の縦枠(4B)の外周面に沿わせて、第１の金属板(1)と第２の金属板(2)とが縦枠(4)に連結されてなるドア。
【請求項２】
前記戸先側の縦枠(4A)が、前記第１の金属板(1)のＵ曲カバー部(11)に挿入してなる一方の側壁(4Ya)を他方の側壁(4Yb)から突出するように幅を広くして突出部(4T)を目板(6)としている請求項１に記載されるドア。
【請求項３】
前記戸先側の縦枠(4A)と戸尻側の縦枠(4B)の上下を横枠(5)で連結しており、前記第１の金属板(1)と第２の金属板(2)を横枠(5)の外周面に沿って内側に折曲して固定折曲部(17)を横枠(5)の外周面に固定してなる請求項１に記載されるドア。
【請求項４】
第１の金属板(1)と第２の金属板(2)の固定折曲部(17)を、溶接、リベット(20)、接着のいずれかで横枠(5)の外周面に固定している請求項３に記載されるドア。
【発明の詳細な説明】
【技術分野】
【０００１】
本発明は、両面に金属板を固定してなるドアに関し、とくに表面の金属板を互いに連結して枠に固定してなるドアに関する。
【背景技術】
【０００２】
両面を金属板とするドアは、両面の金属板を互いに連結する構造として能率よく組み立てできる。本出願人は、このことを実現することを目的として、図１の断面図に示すドアを開発した。このドアは、第１の金属板９１を折曲加工してその両側に連結溝９４を設け、第２の金属板９２にはこの連結溝９４に挿入して連結できる連結凸条９３を設け、連結凸条９３を連結溝９４に挿入して連結して組み立てできる。
【先行技術文献】
【特許文献】
【０００３】
【特許文献１】特開２００９−２４３９９
【発明の概要】
【発明が解決しようとする課題】
【０００４】
図１に示すドアは、２枚の金属板を連結して能率よく組み立てできるが、各々の金属板を複雑な形状に折曲加工するので、加工に手間がかかって加工コストが高くなる欠点がある。とくに、一方の金属板にはその両側に連結溝を設ける複雑な形状に折曲加工するので、この金属板の折曲加工に著しく手間がかかる欠点がある。また、フレームを内蔵しないので、ドアの強度も低くなる欠点がある。
【０００５】
本発明は、さらにこの欠点を解決することを目的に開発されたものである。本発明の重要な目的は、金属板の折曲加工を簡単にして加工コストを低減して強度を向上できるドアを提供することにある。
【課題を解決するための手段及び発明の効果】
【０００６】
本発明のドアは、ドアの戸先側に内蔵してなる断面形状を溝形とする戸先側の縦枠４Ａと、ドアの戸尻側に内蔵してなる戸尻側の縦枠４Ｂと、戸先側の縦枠４Ａと戸尻側の縦枠４Ｂの第１の表面に固定している第１の金属板１と、第１の表面と反対側の面である第２の表面に固定している第２の金属板２とを備えている。戸先側の縦枠４Ａは、底板４Ｘの両側に側壁４Ｙを設けてなる溝形であって、溝形の開口部４Ｚをドアの外側に向ける姿勢として第１の金属板１と第２の金属板２の間に配設している。第１の金属板１は、戸先側の縦枠４Ａの一方の側壁４Ｙを挿入するＵ曲カバー部１１を備えている。さらに、このＵ曲カバー部１１は、内側に折り返した内側積層部１２の先端縁に係止溝部１３を設けて、係止溝部１３を側壁４Ｙの内側に配置している。第２の金属板２は、戸先側の縦枠４Ａの表面から内側に折曲されて、溝形である戸先側の縦枠４Ａの溝形の開口部４Ｚを閉塞するカバー折曲部１４を有する。このカバー折曲部１４は、先端部を内側に折曲して、Ｕ曲カバー部１１の係止溝部１３に案内される積層折曲部１５としている。さらに、第１の金属板１と第２の金属板２は、戸尻側の縦枠４Ｂの外周面に沿うように折曲してなる内側折曲部１６を戸尻側に有する。ドアは、第１の金属板１のＵ曲カバー部１１に戸先側の縦枠４Ａの側壁４Ｙを挿入して、第１の金属板１を戸先側の縦枠４Ａに連結し、第２の金属板２の積層折曲部１５の先端を第１の金属板１の係止溝部１３に挿入して、第２の金属板２を第１の金属板１に連結し、さらに、第１の金属板１と第２の金属板２の内側折曲部１６を戸尻側の縦枠４Ｂの外周面に沿わせて、第１の金属板１と第２の金属板２とを縦枠４に連結している。
【０００７】
以上のドアは、金属板の折曲加工を簡単にして加工コストを低減できる。それは、以上のドアが、第１の金属板には、戸先側の縦枠の側壁を挿入しているＵ曲カバー部の内側積層部の先端に係止溝部を設けて、この係止溝部を側壁の内側に配設し、さらに、第２の金属板には、第１の金属板の係止溝部に連結される積層折曲部を設け、積層折曲部を係止溝部に案内して、第２の金属板を縦枠から外れないように連結できるからである。第１の金属板と第２の金属板の内側折曲部を戸尻側の縦枠の外周面に位置させることで、第１の金属板はＵ曲カバー部と内側折曲部で両側の縦枠を挟着し、第２の金属板はカバー折曲部と内側折曲部とで両側の縦枠を挟着する。したがって、第１の金属板と第２の金属板の表面に平行な方向のずれが阻止される。また、Ｕ曲カバー部を縦枠の側壁に挿入することで、第１の金属板が戸先側の縦枠から外側に外れるのが阻止され、また、積層折曲部を係止溝部に案内することで、第２の金属板が戸先側の縦枠から外側に外れるのが阻止される。したがって、金属板を簡単な形状に折曲加工するにもかかわらず、第１の金属板と第２の金属板とを確実に縦枠に固定できる。また、第１の金属板と第２の金属板の両側に一対の縦枠を固定していることで、ドアとしての強度も相当に向上できる特徴がある。
【０００８】
本発明のドアは、戸先側の縦枠４Ａが、第１の金属板１のＵ曲カバー部１１に挿入してなる一方の側壁４Ｙａを他方の側壁４Ｙｂから突出するように幅を広くして突出部４Ｔを目板６とすることができる。
以上のドアは、戸先側の縦枠をＵ曲カバー部に挿入する構造によって、縦枠の側壁で目板を補強して、ここを極めて強固な構造にできる特徴がある。
【０００９】
本発明のドアは、戸先側の縦枠４Ａと戸尻側の縦枠４Ｂの上下を横枠５で連結することができる。このドアは、第１の金属板１と第２の金属板２を横枠５の外周面に沿って内側に折曲して固定折曲部１７を横枠５の外周面に固定することができる。
以上のドアは、第１の金属板と第２の金属板とを縦枠と横枠からなる強固な枠材で補強することから、ドアとしての強度を著しく向上できる特徴がある。
【００１０】
本発明のドアは、第１の金属板１と第２の金属板２の固定折曲部１７を、溶接、リベット２０、接着のいずれかで横枠５の外周面に固定することができる。
以上のドアは、第１の金属板と第２の金属板の固定折曲部を横枠に強固に固定して、第１の金属板と第２の金属板とを確実にフレームに固定できる。
【図面の簡単な説明】
【００１１】
【図１】本発明者が先に開発したドアの水平断面図である。
【図２】本発明の一実施例にかかるドアの正面図である。
【図３】図２に示すドアの水平断面図である。
【図４】図２に示すドアの垂直横断面図である。
【図５】図３に示すドアの製造工程の一例を示す工程図である。
【図６】図３に示すドアの製造工程の他の一例を示す工程図である。
【図７】本発明の他の実施例にかかるドアの水平断面図である。
【図８】図７に示すドアの製造工程の一例を示す工程図である。
【図９】図７に示すドアの製造工程の他の一例を示す工程図である。
【図１０】本発明の他の実施例にかかるドアの水平断面図である。
【発明を実施するための形態】
【００１２】
以下、本発明の実施例を図面に基づいて説明する。ただし、以下に示す実施例は、本発明の技術思想を具体化するためのドアを例示するものであって、本発明はドアを以下のものに特定しない。
【００１３】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１４】
図２ないし図４に示すドアは、縦枠４と横枠５を四角形に連結しているフレーム３と、フレーム３の両面に固定している第１の金属板１と第２の金属板２とを備える。第１の金属板１は、図３においてドアの上面に位置する第１の表面に固定しており、第２の金属板２は、第１の表面と反対側の面である、図３においてドアの下面である第２の表面に固定している。
【００１５】
フレーム３は、ドアの両側に位置する縦枠４の上下に、ドアの上下に位置する横枠５を連結して四角形のフレーム３としている。縦枠４と横枠５は、例えば、厚さを約１．６ｍｍとする鋼板で製作される。ただし、縦枠と横枠は、厚さを１〜２ｍｍとする鋼板で製作することもできる。
【００１６】
縦枠４は、ドアの戸先側に内蔵している断面形状を溝形とする戸先側の縦枠４Ａと、ドアの戸尻側に内蔵している断面形状を溝形とする戸尻側の縦枠４Ｂとからなる。フレーム３は、戸先側の縦枠４Ａと戸尻側の縦枠４Ｂの上下に、水平姿勢の横枠５を連結して四角形の枠体としている。
【００１７】
戸先側の縦枠４Ａは、底板４Ｘの両側に側壁４Ｙを設けて溝形とするチャンネル材である。戸先側の縦枠４Ａは、溝形の開口部４Ｚをドアの外側に向ける姿勢として第１の金属板１と第２の金属板２の間に配設している。図３に示す戸先側の縦枠４Ａは、一方の側壁４Ｙａを他方の側壁４Ｙｂから突出するように幅を広くして、突出部４Ｔを目板６としている。図３において、戸先側の縦枠４Ａは、上側の側壁４Ｙａの幅を上側の側壁４Ｙｂよりも広くして、突出部４Ｔを目板６としている。目板６となる側壁４Ｙａは、第１の金属板１のＵ曲カバー部１１に挿入されて、第１の金属板１で被覆している。
【００１８】
戸尻側の縦枠４Ｂは、底板４Ｘの両側に側壁４Ｙを設けて溝形としているチャンネル材である。この戸尻側の縦枠４Ｂは、溝形の開口部４Ｚをドアの内側に向ける姿勢して、第１の金属板１と第２の金属板２との間に配設している。戸尻側の縦枠４Ｂは、第１の金属板１と第２の金属板２の側縁を側壁４Ｙから底板４Ｘの表面に沿うように内側に折曲して被覆している。図３の断面図に示すドアは、戸尻側の縦枠４Ｂを溝形のチャンネル材とするが、戸尻側の縦枠には、四角筒状の金属ロッドも使用できる。
【００１９】
横枠５は、縦枠４の上端に固定される上枠５Ａと、縦枠４の下端に固定される下枠５Ｂとからなる。上枠５Ａと下枠５Ｂは、図４の断面図に示すように、金属板を溝形とするチャンネル材である。チャンネル材の上枠５Ａは、溝の開口部を下向きとし、下枠５Ｂは溝の開口部を上向きとして、縦枠４の上下の端部に固定している。ただ、横枠は、チャンネル材に代わって四角筒状の金属ロッドも使用できる。さらに、図に示すドアは、第１の金属板１と第２の金属板２の上縁と下縁を互いに内側に直角に折曲して固定折曲部１７とし、この固定折曲部１７をリベット２０で上枠５Ａと下枠５Ｂに固定している。固定折曲部は、図示しないが、スポット溶接し、あるいは接着し、あるいはまた、係止構造で上枠と下枠に固定することもできる。
【００２０】
第１の金属板１と第２の金属板２は、たとえば、厚さ０．４ｍｍ〜０．８ｍｍとする鉄又は鉄合金からなる金属板である。第１の金属板１と第２の金属板２は、表面をプリントし、あるいは化粧シートを接着して綺麗に表面処理している。
【００２１】
第１の金属板１は、戸先側の縦枠４Ａの一方の側壁４Ｙを挿入するＵ曲カバー部１１を片側縁に設けている。第１の金属板１は、片側の側縁部を内側に折り返して、側壁４Ｙを挿入するＵ曲カバー部１１を設けている。このＵ曲カバー部１１は、内側に折り返した内側積層部１２の先端縁に沿って係止溝部１３を設けて、この係止溝部１３を側壁４Ｙの内側に配置している。第１の金属板１は、内側積層部１２の先端縁を内側、すなわち他方の側壁４Ｙに向かって折曲し、内側の角度である内角を鋭角として係止溝部１３を設けている。図３のドアは、戸先側の縦枠４Ａの一方の側壁４Ｙａの幅を広くして、突出部４Ｔを目板６としているので、この目板６となる側壁４ＹａをＵ曲カバー部１１に挿入してＵ曲カバー部１１で目板６の側壁４Ｙａをカバーしている。
【００２２】
第２の金属板２は、戸先側の縦枠４Ａの表面、正確には側壁４Ｙｂの表面からドアの外周面に沿うように内側に直角に折曲して、溝形である戸先側の縦枠４Ａの開口部４Ｚを閉塞するカバー折曲部１４を設けている。第２の金属板２は、戸先側の縦枠４Ａの他方の側壁４Ｙ、すなわち、目板６となる側壁４Ｙａと反対側の側壁４Ｙｂの表面から先端縁に沿って折曲されて、溝形である一対の側壁４Ｙの開口部４Ｚを閉塞している。
【００２３】
さらに、カバー折曲部１４は、先端部を内側に折曲して、Ｕ曲カバー部１１の先端縁に設けている係止溝部１３に案内する積層折曲部１５としている。カバー折曲部１４は、戸先側の縦枠４Ａの開口部４Ｚを閉塞するので、その幅は一対の側壁４Ｙの開口部４Ｚを閉塞する幅としている。また、カバー折曲部１４は、その先端縁に設けている積層折曲部１５をＵ曲カバー部１１の内面に沿わせる幅としている。積層折曲部１５は、Ｕ曲カバー部１１の内面に密着する状態にあって、その先端縁を係止溝部１３に挿入できる幅としている。
【００２４】
図のドアは、戸先側の縦枠４Ａの一方の側壁４Ｙａの幅を広くして目板６を設けているので、第２の金属板２のカバー折曲部１４は、目板６の先端縁よりもドアの内側に位置している。すなわち、内部に側壁４Ｙａを挿入しているＵ曲カバー部１１が、ドアの外周面から外側に突出して、目板６となっている。
【００２５】
さらに、第１の金属板１と第２の金属板２の戸尻側は、戸尻側の縦枠４Ｂの外周面に沿うように折曲している内側折曲部１６を設けている。この内側折曲部１６が戸尻側の縦枠４Ｂの表面をカバーする。第１の金属板１の内側折曲部１６と第２の金属板２の内側折曲部１６は、戸尻側の縦枠４Ｂの表面を隙間なくカバーする幅としている。図３の断面図に示す内側折曲部１６は、先端縁部を裏面に折り返すように折曲加工して、第１の金属板１と第２の金属板２との境界を綺麗に仕上げている。
【００２６】
第１の金属板１と第２の金属板２の上下の外周縁は、図４の断面図に示すように、内側に折曲されて固定折曲部１７としている。この固定折曲部１７は前述したように、上枠５Ａと下枠５Ｂの表面にリベット２０などで固定されて、第１の金属板１と第２の金属板２はフレーム３に固定される。
【００２７】
図３に示すドアは、以下のようにして組み立てられる。
（１）縦枠４と横枠５を連結してフレーム３を作製する。
戸先側の縦枠４Ａと戸尻側の縦枠４Ｂからなる一対の縦枠４の上下に、上枠５Ａと下枠５Ｂとからなる一対の横枠５を連結して四角形の枠体であるフレーム３を作製する。フレーム３は、図３に示すように、溝形である戸先側の縦枠４Ａの開口部４Ｚをドアの外側に向ける姿勢として連結する。
（２）第１の金属板１をフレーム３の第１の表面に固定する。
第１の金属板１は、図５の（ａ）で示すように、Ｕ曲カバー部１１に戸先側の縦枠４Ａの幅の広い側壁４Ｙａを挿入して戸先側の縦枠４Ａに連結し、図５の（ｂ）で示すように、反対側の内側折曲部１６を戸尻側の縦枠４Ｂの外周面に沿わせて縦枠４に連結する。この状態で、第１の金属板１は、Ｕ曲カバー部１１と内側折曲部１６とで両側の縦枠４を挟着する状態でフレーム３に連結される。第１の金属板１は、内面に接着剤を塗布しており、この接着剤を介して、四角形に枠組してなるフレーム３の第１の表面に、第１の金属板１が固定される。
（３）フレーム３の内側に芯材７を充填する。
図５の（ｃ）で示すように、第１の金属板１が固定されたフレーム３の内側に芯材７を充填する。芯材７は、第１の金属板１の内面に塗布された接着剤を介して定位置に固定される。
（４）第２の金属板２をフレーム３の第２の表面に固定する。
第２の金属板２は、図５の（ｄ）で示すように、積層折曲部１５の先端を第１の金属板１の係止溝部１３に挿入して第１の金属板１に連結すると共に、戸先側の縦枠４Ａの開口部４Ｚをカバー折曲部１４で閉塞する状態で戸先側の縦枠４Ａに連結する。さらに、第２の金属板２は、図５の（ｅ）で示すように、反対側の内側折曲部１６を戸尻側の縦枠４Ｂの外周面に沿わせて縦枠４に連結する。この状態で、第２の金属板２は、カバー折曲部１４と内側折曲部１６とで両側の縦枠４を挟着する状態でフレーム３に連結される。第２の金属板２は、内面に接着剤を塗布しており、この接着剤を介して、四角形に枠組してなるフレーム３の第２の表面と、フレーム３の内側に充填された芯材７の表面に、第２の金属板２が固定される。
（５）第１の金属板１と第２の金属板２の上下をフレーム３に固定する。
フレーム３の両面に第１の金属板１と第２の金属板２を固定して、接着剤が硬化した後、第１の金属板１と第２の金属板２の上下をフレーム３に固定する。第１の金属板１と第２の金属板２は、図４に示すように、内側に折曲してなる固定折曲部１７を、リベット２０を介して横枠５の外周面に固定する。
【００２８】
以上の製造工程では、一対の縦枠４と一対の横枠５を連結して四角形のフレーム３を作製した後、このフレーム３に第１の金属板１と第２の金属板２を固定している。ただ、図３に示すドアは、縦枠と横枠とを連結して四角形の枠体とすることなく、一対の縦枠と一対の横枠とを互いに連結しないバラの状態で第１の金属板と第２の金属板に固定することもできる。このドアは、図６に示す工程で、以下のようにして組み立てられる。
【００２９】
（１）第１の金属板１に縦枠４を固定する。
図６の（ａ）で示すように、第１の金属板１を、内面が上向きとなる状態で配置し、第１の金属板１の内面に接着剤を塗布する。戸先側の縦枠４Ａと戸尻側の縦枠４Ｂとを、第１の金属板１の定位置に固定する。戸先側の縦枠４Ａは、溝形の開口部４Ｚをドアの外側に向ける姿勢として、図の矢印Ａで示すように、幅の広い側壁４Ｙａを、第１の金属板１のＵ曲カバー部１１に挿入して、第１の金属板１の定位置に固定する。また、戸尻側の縦枠４Ｂは、溝形の開口部４Ｚをドアの内側に向ける姿勢として、図の矢印Ｂで示すように、底板４Ｘの外周面を第１の金属板１の内側折曲部１６に固定する。
以上の工程で、戸先側の縦枠４Ａと戸尻側の縦枠４Ｂの第１の表面に、接着剤を介して第１の金属板１が固定される。
（２）第１の金属板１に横枠５を固定する。
図６の（ｂ）で示すように、戸先側の縦枠４Ａと戸尻側の縦枠４Ｂの間に一対の横枠５を固定する。上枠５Ａと下枠５Ｂとからなる一対の横枠５は、戸先側の縦枠４Ａと戸尻側の縦枠４Ｂの上下端の間に位置して固定される。上枠５Ａと下枠５Ｂとからなる一対の横枠５は、接着剤を介して第１の金属板１の内面に固定される。
（３）フレーム３の内側に芯材７を充填する。
図６の（ｃ）で示すように、第１の金属板１に固定された一対の縦枠４と一対の横枠５からなる四角形のフレーム３の内側に芯材７を充填する。芯材７は、第１の金属板１の内面に塗布された接着剤を介して定位置に固定される。
（４）第２の金属板２をフレーム３に固定する。
第２の金属板２は、図６の（ｄ）で示すように、積層折曲部１５の先端を第１の金属板１の係止溝部１３に挿入して第１の金属板１に連結すると共に、戸先側の縦枠４Ａの開口部４Ｚをカバー折曲部１４で閉塞する状態で戸先側の縦枠４Ａに連結する。さらに、第２の金属板２は、図６の（ｅ）で示すように、反対側の内側折曲部１６を戸尻側の縦枠４Ｂの外周面に沿わせて縦枠４に連結する。この状態で、第２の金属板２は、カバー折曲部１４と内側折曲部１６とで両側の縦枠４を挟着する状態でフレーム３に連結される。第２の金属板２は、内面に接着剤を塗布しており、この接着剤を介して、縦枠４と横枠５とからなるフレーム３の第２の表面と、フレーム３の内側に充填された芯材７の表面に、第２の金属板２が固定される。
（５）第１の金属板１と第２の金属板２の上下をフレーム３に固定する。
フレーム３の両面に第１の金属板１と第２の金属板２を固定して、接着剤が硬化した後、第１の金属板１と第２の金属板２の上下をフレーム３に固定する。第１の金属板１と第２の金属板２は、図４に示すように、内側に折曲してなる固定折曲部１７を、リベット２０を介して横枠５の外周面に固定する。
【００３０】
以上のドアは、目板６側の側壁４Ｙａを第１の金属板１のＵ曲カバー部１１に挿入しているが、ドアは、図７に示すように、目板６側の側壁４Ｙａとは反対側の側壁４Ｙｂを第１の金属板１のＵ曲カバー部１１に挿入する構造とすることができる。図７のドアは、戸先側の縦枠４Ａの一方の側壁４Ｙａを他方の側壁４Ｙｂから突出するように幅を広くして突出部４Ｔを目板６としており、この目板６となる幅の広い側壁４Ｙａを第２の金属板２でカバーし、反対側の幅の狭い側壁４Ｙｂを第１の金属板１でカバーしている。すなわち、このドアは、図７において、幅の狭い側壁４Ｙｂのあるドアの下面側を第１の表面として第１の金属板１を固定し、第１の表面と反対側の面である、図７において、幅の広い側壁４Ｙａのあるドアの上面側を第２の表面として第２の金属板２を固定している。
【００３１】
図７に示す第１の金属板１は、目板６側の側壁４Ｙａとは反対側の幅の狭い側壁４ＹｂをＵ曲カバー部１１に挿入して、この側壁４ＹｂをＵ曲カバー部１１でカバーしている。さらに、側壁４Ｙｂが挿入されるＵ曲カバー部１１は、内側に折り返した内側積層部１２の先端縁に沿って係止溝部１３を設けており、この係止溝部１３を側壁４Ｙｂの内側に配置している。
【００３２】
図７に示す第２の金属板２は、戸先側の縦枠４Ａの表面、正確には、目板６となる側壁４Ｙａの表面からドアの外周面に沿うように折曲して、溝形である戸先側の縦枠４Ａの開口部４Ｚを閉塞している。第２の金属板２は、戸先側の側縁部を内側に折り返すように折曲して、目板６となる側壁４Ｙａの突出部４Ｔを挿入する折返挿入部１８を設けている。さらに、第２の金属板２は、この折返挿入部１８に挿入される側壁４Ｙａの突出部４Ｔの内側に積層される内側積層部１９の先端部を、戸先側の縦枠４Ａの開口部４Ｚに沿って直角に折曲して、溝形である戸先側の縦枠４Ａの溝形の開口部４Ｚを閉塞するカバー折曲部１４としている。さらに、カバー折曲部１４は、先端部を内側に折曲して、Ｕ曲カバー部１１の先端縁に設けている係止溝部１３に案内する積層折曲部１５としている。
【００３３】
図７のドアは、戸先側の縦枠４Ａの幅の狭い側壁４Ｙｂを第１の金属板１のＵ曲カバー部１１に挿入して、幅の広い側壁４Ｙａを第２の金属板２でカバーしているので、第１の金属板１のＵ曲カバー部１１は、目板６の先端よりもドアの内側に位置している。すなわち、幅の広い側壁４Ｙａを挿入している第２の金属板２の折返挿入部１８が、ドアの外周面から外側に突出して目板６となっている。
【００３４】
図７に示すドアは、以下のようにして組み立てられる。
（１）縦枠４と横枠５を連結してフレーム３を作製する。
戸先側の縦枠４Ａと戸尻側の縦枠４Ｂからなる一対の縦枠４の上下に、上枠５Ａと下枠５Ｂとからなる一対の横枠５を連結して四角形の枠体であるフレーム３を作製する。フレーム３は、図７に示すように、溝形である戸先側の縦枠４Ａの開口部４Ｚをドアの外側に向ける姿勢として連結する。
（２）第１の金属板１をフレーム３の第１の表面に固定する。
第１の金属板１は、図８の（ａ）で示すように、Ｕ曲カバー部１１に戸先側の縦枠４Ａの幅の狭い側壁４Ｙｂを挿入して戸先側の縦枠４Ａに連結し、図８の（ｂ）で示すように、反対側の内側折曲部１６を戸尻側の縦枠４Ｂの外周面に沿わせて縦枠４に連結する。第１の金属板１は、Ｕ曲カバー部１１と内側折曲部１６とで両側の縦枠４を挟着する状態でフレーム３に連結される。第１の金属板１は、内面に接着剤を塗布しており、この接着剤を介して、四角形に枠組してなるフレーム３の第１の表面に、第１の金属板１が固定される。
（３）フレーム３の内側に芯材７を充填する。
図８の（ｃ）で示すように、第１の金属板１が固定されたフレーム３の内側に芯材７を充填する。芯材７は、第１の金属板１の内面に塗布された接着剤を介して定位置に固定される。
（４）第２の金属板２をフレーム３の第２の表面に固定する。
第２の金属板２は、図８の（ｄ）で示すように、戸先側の縦枠４Ａの幅の広い側壁４Ｙａを折返挿入部１８に挿入して戸先側の縦枠４Ａに連結すると共に、積層折曲部１５の先端を第１の金属板１の係止溝部１３に挿入して第１の金属板１に連結する。さらに、第２の金属板２は、図８の（ｅ）で示すように、反対側の内側折曲部１６を戸尻側の縦枠４Ｂの外周面に沿わせて縦枠４に連結する。この状態で、第２の金属板２は、折返挿入部１８と内側折曲部１６とで両側の縦枠４を挟着する状態でフレーム３に連結される。第２の金属板２は、内面に接着剤を塗布しており、この接着剤を介して、四角形に枠組してなるフレーム３の第２の表面と、フレーム３の内側に充填された芯材７の表面に、第２の金属板２が固定される。
（５）第１の金属板１と第２の金属板２の上下をフレーム３に固定する。
フレーム３の両面に第１の金属板１と第２の金属板２を固定して、接着剤が硬化した後、第１の金属板１と第２の金属板２の上下をフレーム３に固定する。第１の金属板１と第２の金属板２は、図４に示すように、内側に折曲してなる固定折曲部１７を、リベット２０を介して横枠５の外周面に固定する。
【００３５】
以上の製造工程では、一対の縦枠４と一対の横枠５を連結して四角形のフレーム３を作製した後、このフレーム３に第１の金属板１と第２の金属板２を固定している。ただ、図７に示すドアも、縦枠と横枠とを連結して四角形の枠体とすることなく、一対の縦枠と一対の横枠とを互いに連結しないバラの状態で第１の金属板と第２の金属板に固定することができる。このドアは、図９に示す工程で、以下のようにして組み立てられる。
【００３６】
（１）第１の金属板１に縦枠４を固定する。
図９の（ａ）で示すように、第１の金属板１を、内面が上向きとなる状態で配置し、第１の金属板１の内面に接着剤を塗布する。戸先側の縦枠４Ａと戸尻側の縦枠４Ｂとを、第１の金属板１の定位置に固定する。戸先側の縦枠４Ａは、溝形の開口部４Ｚをドアの外側に向ける姿勢として、図の矢印Ａで示すように、幅の狭い側壁４Ｙｂを、第１の金属板１のＵ曲カバー部１１に挿入して、第１の金属板１の定位置に固定する。また、戸尻側の縦枠４Ｂは、溝形の開口部４Ｚをドアの内側に向ける姿勢として、図の矢印Ｂで示すように、底板４Ｘの外周面を第１の金属板１の内側折曲部１６に固定する。
以上の工程で、戸先側の縦枠４Ａと戸尻側の縦枠４Ｂの第１の表面に、接着剤を介して第１の金属板１が固定される。
（２）第１の金属板１に横枠５を固定する。
図９の（ｂ）で示すように、戸先側の縦枠４Ａと戸尻側の縦枠４Ｂの間に一対の横枠５を固定する。上枠５Ａと下枠５Ｂとからなる一対の横枠５は、戸先側の縦枠４Ａと戸尻側の縦枠４Ｂの上下端の間に位置して固定される。上枠５Ａと下枠５Ｂとからなる一対の横枠５は、接着剤を介して第１の金属板１の内面に固定される。
（３）フレーム３の内側に芯材７を充填する。
図９の（ｃ）で示すように、第１の金属板１に固定された一対の縦枠４と一対の横枠５からなる四角形のフレーム３の内側に芯材７を充填する。芯材７は、第１の金属板１の内面に塗布された接着剤を介して定位置に固定される。
（４）第２の金属板２をフレーム３に固定する。
第２の金属板２は、図９の（ｄ）で示すように、戸先側の縦枠４Ａの幅の広い側壁４Ｙａを折返挿入部１８に挿入して戸先側の縦枠４Ａに連結すると共に、積層折曲部１５の先端を第１の金属板１の係止溝部１３に挿入して第１の金属板１に連結する。さらに、第２の金属板２は、図９の（ｅ）で示すように、反対側の内側折曲部１６を戸尻側の縦枠４Ｂの外周面に沿わせて縦枠４に連結する。この状態で、第２の金属板２は、折返挿入部１８と内側折曲部１６とで両側の縦枠４を挟着する状態でフレーム３に連結される。第２の金属板２は、内面に接着剤を塗布しており、この接着剤を介して、縦枠４と横枠５とからなるフレーム３の第２の表面と、フレーム３の内側に充填された芯材７の表面に、第２の金属板２が固定される。
（５）第１の金属板１と第２の金属板２の上下をフレーム３に固定する。
フレーム３の両面に第１の金属板１と第２の金属板２を固定して、接着剤が硬化した後、第１の金属板１と第２の金属板２の上下をフレーム３に固定する。第１の金属板１と第２の金属板２は、図４に示すように、内側に折曲してなる固定折曲部１７を、リベット２０を介して横枠５の外周面に固定する。
【００３７】
さらに、ドアは必ずしもフレーム３の側壁４Ｙで目板を構成する必要なく、たとえば、目板を別部材としてドアに固定することもできる。このドアは、図１０に示すように、戸先側の縦枠４Ａに設けている一対の側壁４Ｙの幅を同じとする。図のドアは、戸先側の縦枠４Ａの一対の側壁４Ｙの幅を等しくしているので、一方の側壁４Ｙが挿入される第１の金属板１のＵ曲カバー部１１の先端と、他方の側壁４Ｙの表面からドアの外周面に沿って折曲される第２の金属板２のカバー折曲部１４とが同一面に位置している。このドアは、フレーム３の表面に第１の金属板１と第２の金属板２とを固定した後、図に示すように、別部材である目板部材２１をドアの戸先側に固定して、目板６を設ける。
【符号の説明】
【００３８】
１…第１の金属板
２…第２の金属板
３…フレーム
４…縦枠                      ４Ａ…戸先側の縦枠
４Ｂ…戸尻側の縦枠
４Ｔ…突出部
４Ｘ…底板
４Ｙ…側壁
４Ｙａ…側壁
４Ｙｂ…側壁
４Ｚ…開口部
５…横枠                      ５Ａ…上枠
５Ｂ…下枠
６…目板
７…芯材
１１…Ｕ曲カバー部
１２…内側積層部
１３…係止溝部
１４…カバー折曲部
１５…積層折曲部
１６…内側折曲部
１７…固定折曲部
１８…折返挿入部
１９…内側積層部
２０…リベット
２１…目板部材
９１…第１の金属板
９２…第２の金属板
９３…連結凸条
９４…連結溝
【図１】
2010281154.tif 000003
【図２】
2010281154.tif 000004
【図３】
2010281154.tif 000005
【図４】
2010281154.tif 000006
【図５】
2010281154.tif 000007
【図６】
2010281154.tif 000008
【図７】
2010281154.tif 000009
【図８】
2010281154.tif 000010
【図９】
2010281154.tif 000011
【図１０】
2010281154.tif 000012